(57)【特許請求の範囲】
【請求項１】
排水系統に用いられる総汚染物質濾過装置（１０）であって、水および総汚染物質を運ぶ前記濾過装置は、
排水が流入する装置入口（１４）と、
前記装置入口（１４）より低い位置にある装置出口（５２）と、
保持チャンバー手段を形成し、該保持チャンバー手段に少なくとも一つの濾過部材（２８、３０、３２）を設置し、前記の少なくとも一つの濾過部材（２８、３０、３２）によって、前記水及び総汚染物質から除かれた前記総汚染物質の一部を保持チャンバーが停留させる役目をする水濾過手段（２０）であって、
装置入口（１４）から装置出口（５２）への直接水路、装置入口（１４）から水濾過手段（２０）への水路、また、前記装置入口（１４）と装置出口（５２）の間で使用されている、前記の少なくとも一つの濾過部材（２８、３０、３２）の上部に位置する水濾過手段出口（５０）という特徴を持ち、前記水濾過手段出口（５０）から前記装置出口（５２）へ流れる濾過水が、前記装置入口（１４）と前記装置出口（５２）の間に水及び総汚染物質の直接水路に対する水遮壁を形成するように、前記水濾過手段出口が配置されることを特徴とする総汚染物質濾過装置。
【請求項２】
請求項１に記載の総汚染物質濾過装置において、前記濾過手段を通る水の流れが減少するときに、前記水遮壁が沈降し、水および総汚染物質が前記装置入口から前記濾過手段へ通るよりも、前記装置入口から前記装置出口へより簡単に通るようにすることを特徴とする総汚染物質濾過装置。
【請求項３】
請求項１に記載の総汚染物質濾過装置において、前記水遮壁は前記装置出口に隣接して位置することを特徴とする総汚染物質濾過装置。
【請求項４】
請求項１に記載の総汚染物質濾過装置において、前記濾過手段は前記排水系統の現存管路（existing line）および傾斜流路（flow grade）に配置されることを特徴とする総汚染物質濾過装置。
【請求項５】
請求項１に記載の総汚染物質濾過装置において、前記濾過手段は、該濾過手段の底部から、該水濾過手段出口の水位までの容量に達している垂直濾過部材を含み、
該垂直濾過部材は前記装置入口および前記水濾過手段出口の間の連絡水路（water communication）を備えることを特徴とする総汚染物質濾過装置。
【請求項６】
請求項５に記載の総汚染物質濾過装置において、前記濾過部材の１種または２種以上が交換もしくは洗浄用に取外し可能であることを特徴とする総汚染物質濾過装置。
【請求項７】
請求項１に記載の総汚染物質濾過装置において、前記濾過手段および前記濾過手段出口の間の流体連絡路に位置する静水容積（stilling volume）をさらに含むことを特徴とする総汚染物質濾過装置。
【請求項８】
請求項７に記載の総汚染物質濾過装置において、前記濾過手段に隣接する前記静水容積（stilling volume）は、その中に位置する少なくとも１つの隔壁を有し、
該隔壁は、前記濾過手段内に汚染物質が停留されないように、前記濾過手段出口への浮遊汚染物質の流れを制限することを特徴とする総汚染物質濾過装置。
【請求項９】
請求項１に記載の総汚染物質濾過装置において、前記濾過手段出口の許容流量は、少なくとも前記装置入口の許容流量と同等であることを特徴とする総汚染物質濾過装置。
【請求項１０】
請求項１に記載の総汚染物質濾過装置において、前記入口から前記濾過手段に流入する雨水の量は制限手段によって制限されることを特徴とする総汚染物質濾過装置。
【請求項１１】
請求項１０に記載の総汚染物質濾過装置において、前記制限手段は装置入口領域と側壁部材とによって部分的に形成される傾斜した空隙（tapered cavity）を備えることを特徴とする総汚染物質濾過装置。
【請求項１２】
請求項１に記載の総汚染物質濾過装置において、前記濾過手段から水を吸い上げるために、前記濾過手段と前記装置の外部との間に位置するサイフォン手段をさらに備えることを特徴とする総汚染物質濾過装置。
【請求項１３】
請求項１に記載の総汚染物質濾過装置において、前記濾過手段は洗浄およびメンテナンス用に前記濾過手段への接近を可能にするための取外し可能な上面部材を有することを特徴とする総汚染物質濾過装置。
【請求項１４】
請求項１に記載の総汚染物質濾過装置において、前記装置入口は前記濾過部材への誘導手段に隣接する水および総汚染物質経路を備えるように配置されることを特徴とする総汚染物質濾過装置。
【請求項１５】
請求項１４に記載の総汚染物質濾過装置において、前記装置入口の水および総汚染物質経路は、壁に隣接して配置されることを特徴とする総汚染物質濾過装置。
【請求項１６】
請求項１〜１５のいずれかの請求項に記載の総汚染物質濾過装置において、前記各水路は少なくとも前記装置入口の通水量を有することを特徴とする総汚染物質濾過装置。
【発明の詳細な説明】
［技術分野］
本発明は、水排水系統に使用する総汚染物質濾過装置、特に、雨水排水系統の終端部付近あるいは終端部で総汚染物質を捕捉するための濾過装置に関するものである。
［背景技術］
水質の劣化はその割合が増加するという問題である。水質の一つの基準は、道路や街路から雨水系統へと、また、やがては我々が飲料水用に依存している貯水槽へと運ばれることになる総汚染物質量である。河川，湖沼，ダム、そして究極的には海が、これらのきわめて重要な水源の水質を低下させる総汚染物質の貯蔵場所となってきている。
総汚染物質の大部分（９０％）には、小枝，大枝，落葉，土壌のような有機物が含まれ、残りの部分はプラスチック容器，袋，紙，缶，タバコの吸殻のような非有機物である。
雨水排水系統の一例においては、都会や小さな町などの路面や、各世帯の屋根から集められた雨水は、最終的には地下の雨水排水系統に到達する。ガリートラップス（gully traps）と呼ばれる地表面の雨水流入口は様々な大きさの多様な総汚染物質を雨水排水系統内に流入させる。代表的な排水系統は地中パイプを含み、雨水を保持貯蔵施設，河川および海洋への流出に運搬するむき出しの導水路も時には含まれる。
総汚染物質は排水系統の流出口において大量に集積しそうであるが、この総汚染物質の過度の集中による環境影響に関する懸念はもっともなことである。
現在の技術を利用した雨水の濾過は高価で時間のかかる仕事であり、水道当局がその水源において雨水系統の汚染を実際に減らそうというよりも、むしろ排水系統から発する総汚染物質のまさに目に見える結果を片付けることによって、この問題を好んで扱うことは珍しいことではない。総汚染物質または濾過は時として排水系統沿いの中間点で行なわれるが、代表的な取り組み方は、網状格子の端部を取り付けることである。これは、すぐに絡まってしまいがちで恒常的なメンテナンスが必要であり、油および油状汚染物質を処理するものではない。
汚染工業用水の処理に関しても、同様の考慮事項があてはまる。
従来および現在の雨水および総汚染物質の濾過装置における決して望ましくない特徴としては：
・防錆処理を必要とする多くの金属部品の使用、あるいは、高価なステンレス鋼部材の使用
・メンテナンスと周期的な交換が必要であるばかりか、故障しがちで、腐食し、その効率を維持するためにも頻繁な洗浄を必要とする可動部品
・それらに連結する排水管や導管よりも、時として何倍もの広さの沈殿貯水池を備えるのための現存排水系統に隣接する広領域の使用
・低流量および高流量下の低濾過効率に帰着する出口と入口の間の高水圧水頭損失と、現存排水系統に対するこのような濾過装置の後付けに関する不必要な制限や禁止を規定する排水設備の設計に関する大きな混乱
・多数の小型総汚染物質濾過装置が排水系統に導入された場合には、汚染物質の収集には短時間のインターバルが要求され、さらに、多量の汚染物質が集積する原型にとって、濾過装置を空にしたり汚染物質を取り除くことはしばしば困難である
・異種の汚染物質に対応する管内格子型の濾過装置は、時として大量の総汚染物質を処理するのに広領域を必要とし、所望よりもはるかに大きなコストで独特な部品の製造がしばしば必要となるだけでなく、障害物に関する大きな潜在性を有する
・流量によって異なる効率であり、低流量および高流量下においてしばしば最低効率がおこる
・特に沈殿物に起因する妨害物が濾過装置の出入口につくられ、特定種類の汚染物質の蓄積が健康上の危険となり、濾過装置を迂回する溢れ経路（overflow routes）の不必要な使用を引き起こす
・従来の装置は、有孔で固形の堰を含んでおり、これは、濾過装置が非効率になり、総汚染物質を運んでくる流入雨水の流れを十分に濾過することができなくなる期間および、その後確実に、流入雨水パイプに沿って背圧を誘発する
を含んでいる。
これらの問題およびその他の問題は、ここで開示する発明によって軽減あるいは取り除かれる。
［発明の開示］
最も広義の形態において、水および総汚染物質を運搬する水排水系統に使用される総汚染物質濾過装置は、入口と、前記入口より低い位置にある出口と、汚染物質の一部を停留するための保持チャンバー手段を形成する水濾過手段と、を備えている。該水濾過手段は入口の高さよりも低く位置し、水濾過手段出口を備えている。該水濾過手段出口は、水濾過出口を流れ出る濾過水が、入口と出口の間の水と総汚染物質の流れに対する水遮壁を作るように配置され、前記入口および出口の間の高さに位置する。
本発明のさらなる要旨において、水と総汚染物質が入口から濾過手段を通過するよりも、入口から出口により簡単に通るほどに、濾過手段を通過する水の流れが減少するときに、水遮壁は沈降する。
本発明のさらなる要旨において、水遮壁は出口と隣り合って位置する。
本発明の実施形態を、添付図面の参照および図示によってさらに詳しく説明する。各実施形態は実例であって、本発明の範囲を限定するものではない。
【図面の簡単な説明】
図１は、排水系統の管に沿って本発明の管内濾過装置を正しい場所に配置した実施形態にかかる長手方向の部分切り欠き斜視図を図示する。
図２は、図１にかかる濾過装置の平面透視図を図示する。
図３は、図１にかかる濾過装置の部分切り欠き斜視端面図である。
図４は、図１にかかる濾過装置の部分斜視端面図である。
［発明を実施するための最良の形態］
本実施形態にかかる総汚染物質濾過装置１０は、雨水配管１２に沿って位置し、汚染物質と共に運ばれる配管に沿って流れる雨水の流れを遮るように設けられる。
濾過装置は、その入口と出口の間で水と運ばれてきた総汚染物質が流れるように処理されるときである、総汚染物質が完全に遮断されるまで、総汚染物質を捕獲し続ける。
濾過装置の入口１４は、水濾過手段２０に向かってわずかな傾斜を有する入口領域１８上を水と汚染物質１６が進むための雨水配管１２を収容する。
流入する水および汚染物質は、最初は入口領域１８上の直線経路をたどるように、あるいは、側壁２２に隣接して流れるように整えられる。流路１７は、図２に図示されるように濾過装置の作動中に発生する。この流路は主流路１６と比較して小さいが、これは濾過器２０への入口において背圧が少量であることに起因しており、結局は濾過装置の出口に移動することなく主流路１６に引き戻される。
入口領域１８は、本明細書中で後にさらに詳しく述べる濾過水経路２４にまで及ぶ（図１には示されていないが、図２で図示されている）。流入する水および総汚染物質１６は、これらが水濾過器２０に入ったときに流路２６として現れる。水濾過器２０は雨水配管からの水および総汚染物質の直接の流れを受けるように位置し、濾過部材２８と３０の２つの縦方向に実質的に垂直の壁で形成される伸長チャンバーを備えている。濾過手段は、コンクリートのような不浸透性物質３４からなる横方向に実質的に垂直な後壁のみならず、濾過部材３２の横方向に実質的に垂直な前壁を備えている。
水濾過部材２８，３０および３２はステンレス鋼メッシュであることが好ましく、あるいは代わりに、所定サイズの総汚染物質の通過を制限するのに適した孔径サイズを有する亜鉛めっきメッシュであってもよい。
図示されている水濾過器は好適な形状であり、捕捉した総汚染物質の所定量を収容する大きさで作られている。十分とみられる正確な量は、とりわけ雨水配管系統によって運搬される雨水中において運ばれる所期の総汚染物量だけでなく、濾過器をからにする所望の頻度にも依存している。
水濾過器２０は、集積された総汚染物質の貯蔵場所となり、水濾過器がその水深から総汚染物質を取り除くことかできる手段によって空にできるような深さに合わせて作られる。たとえば、真空装置は、それが作動するのに最適な深さを有するであろう。濾過手段が所定の深さを有するのであれば、集積された総汚染物質の最大量は、その長さだけでなく、濾過部材の孔の所望許容流量によって決まるであろう。濾過部材の小さな孔は、たとえ孔のいくつかの部分が総汚染物質によって塞がれたとしても、濾過水の十分な流れを確保するために、より長い、あるいは、より広い濾過部材領域を必要とするであろう。
本実施形態にかかる濾過部材の形状は、長方形状であるが、これは水濾過器の入口から後壁の幅員内で、傾斜させることができる。あるいは、水濾過器は円形状であってもよく、あるいは、他方に隣接するいくつかのセルを備えることもできる。これらのセルは、濾過部材の下部に位置させることができ、様々な形状を有しうる。
含有総汚染物質の大部分は、濾過部材への流入点付近で集められるということが発見されている。浮遊する、あるいは、浮力性のある総汚染物質は最後には朽ち果てるか、湛水（water logged）状態となり、濾過部材の底に沈む。傾斜した壁３４および３５（壁３４は図１に図示され、壁３５は図３に図示されている）は、濾過部材の最大水位の上に位置している。壁３４は濾過部材２８の上部から濾過部材２８に隣接して位置する水路の上部を横切って壁にまで及ぶ（図示しない）。傾斜した壁３４および３５は、汚染物質が、かつて高流量で、それに伴う乱流がやわらいだ濾過器に落ちるまで、浮遊総汚染物質をそれぞれの隣接する水路から遠ざけている。
また、傾斜した壁は流入する固形汚染物質を濾過部材から遠ざけるのを補助し、これによって高流量の間でも濾過器のよりよい流れ条件が提供される。
最高水位以上の位置に濾過部材を設けると汚染物質ですぐに滑りやすくなってしまい、いずれにしろその後濾過器として作用しなくなるので、（図１および図２に図示するように）濾過手段における最高水位以上に延在する濾過部材を有するということは、欠点である。
濾過水は濾過部材２８，３０および３２を通過し、隣接する水路に到達する。水路３６は濾過部材３０に隣接して位置しており、水路２４および６４は先に述べたとおりである。流れ矢印（flow arrows）３８および４０は、水路３６を通じて水路２４に至る濾過水の流れを図示するものである。
水路２４，６４，および３６は、すべてが流入する流量の最大量を収容するのに十分な容量である。
支持部材４２（図１に示す）は、壁４６からの濾過部材３０の直立案内水路４４へ（濾過装置の切り欠き図には示されない）、一定の間隔を空けるために用いられている。
濾過手段からの流出は、一度濾過手段に水が満たされ、水が濾過手段から出たときの、濾過水の流路を単に絵で表したものにすぎない流れ矢印（flow arrows）４６および４８によって図示されている。
水濾過器の出口５０は、濾過装置の入口１４と濾過装置の出口５２との間に位置しており、該出口５２は、水濾過器の出口および入口１４の両方よりも低い位置にある。
図２においてよりはっきりと図示されているように、水濾過器の出口５０を出る濾過水は、出口５２への多数の経路を通る。経路５６はより遠回りであり、経路５４は最短路である。出口５０は、図２において図示されている５６のような環状流路を促進するように形作られている。
また、遮壁（barrier wall）５８と境界壁６０，６２および６４はすべて、水濾過器の出口５０を出る濾過水の循環流れパターンの形成に寄与している。さらに、入口１４を通じて濾過装置に入ってくる雨水１６の圧力は、出口５２に向かって引き返す流路５４を促進する遮壁５６の端部を越えて作用する。
流路５４は、入口１４および出口５２の間の水および汚染物質の流れを維持するための水遮壁を作る。
水濾過器の出口５２の許容流量は、入口１２の最大許容流量と同等あるいはそれ以上であることが好ましい。
図２は好適な流路をよりはっきりと図示しており、水遮壁５６の２つの目的についてもはっきりと示している。
水遮壁５６は、配管系統１２に沿った管の出口側に突出しているので、流入してくる水および汚染物質の初期流および継続流１６の大部分を遮り、濾過手段２０に向かわせる。水遮壁５６はまた、水濾過器の出口５０から出てくる濾過水が流入水および汚染物質と混合してしまうことを防止している。入口１４と出口５２との間の水路の高さで結合する遮壁５６の端部と最も近い壁部６０との間の距離を保つためには、バイパスがいっぱいの状況で、濾過手段がいっぱいであるという事態によって、配管作業系統におけるいかなる障害物も作らないように、入口の最大流量と同等あるいはそれ以上であることが好ましい。
また、図２は方向あるいは程度のいずれかにおいて、本来の配管経路の再調整を必要とすることなく、単に濾過設備１０が間に配置される、本来の雨水配管１２−１２を図示している。これによって、現行のパイプシステムに濾過装置の後付けが可能となる。
流路２６は、濾過手段内の流入してくる流路１６の連続である。濾過手段内の流れは、高流量の間は活発、乱流であり、総汚染物質のほとんどすべてが濾過手段２０内に運び込まれる。しかし、小粒子，懸濁粒子，溶解している汚染物質はもちろんのこと、これらが図２に図示されているように、濾過部材２８，３０および３２を通って移動する。濾過部材３０で合流する流路は、水路３６への矢印４０および４２として示されており、濾過部材３０と合流する流れの経路は水路６４への流れ矢印６０および６２として示されている。
水路３４および６４はいずれも濾過手段の静音地点（quieter regions）であり、濾過装置が洗浄されたときには、小粒子および懸濁粒子の幾分かは採集の用意がされる水路の底部に沈下することができる。
水路３６，６４および２４は、濾過器の出口５０に到達する前における濾過手段の最終連絡水路である。しかし、濾過手段の後方にさらに水路を作るということは好ましくなく、この追加水路は濾過装置の適当な作用には不必要である。
その深度で組み合わされる各水路の幅は、濾過水が濾過器の出口５０に向かう流れに対する最小抵抗を有するということを確保するために、入口１４の最大流量と同等の流量を維持できることが好ましい。
好ましくは、水路３６，６４および２４は、濾過水の上面を渡る油，グリース，その他の浮遊汚染物質の流れを制限するように、１種または２種以上の隔壁６６および６８を有して配置されており（図２，３および４において示すように）、これによってそれら汚染物質が濾過器の出口５０およびその後ろの濾過装置の出口５２に入り込まないようにしている。
これらの隔壁６６および６８は、それぞれ水路３６および６４の前頂部に位置し、濾過手段中の水位が濾過手段の出口の水準を維持する場合に、機能する。隔壁以下の水量であっても、それらを通過するための入口１４の最大流量を可能にするのに十分であることが好ましく、これによって最大流量下で機能する濾過手段の能力が継続する。
隔壁の利用は、時として濾過装置が流入する総汚染物質の小構成成分でもある油やグリースとはほとんど関係のない固形状およびある種の懸濁汚染物質を濾過することが十分であるので、好ましいというだけである。
図１，２および３に図示されているサイフォン管７０は、本発明の濾過装置にかかる追加部材である。吸い上げは、健康上の危険となりうる腐敗物だけでなく、蚊および他の虫類の別の繁殖地となりうる濾過手段から静水（still water）を移動するために時として必要となる。
高流量の状況下では、流入する水および汚染物質の大部分は濾過手段２０によって引き止められ、濾過水の流れは濾過器の出口５０を出て、その後濾過装置の出口５２を通って濾過装置を出て行く。この高流量下の間に作られた水遮壁によって、流入してくる水および汚染物質と濾過した流出する水と隔てている。
しかしながら、これはまた低流量の状況に関する事例でもあって、水遮壁は同様に効果的であるということが発見された。
高流量および低流量における濾過装置の水力損失は、非常に相似しているが、その評価には水遮壁の配置によって作られる追加の乱流で作られる小水頭損失が必要である。
濾過手段が総汚染物質で目詰まりとなった場合には、本発明の濾過装置によるきわめて優れた利点がある。濾過部材を通って流れる水の抵抗がその結果よりも大きくなる場合には、水遮壁の有効性が減少し、これによって、流入する水および汚染物質が入口から出口へ直接流れるのを容易にし、この流路が利用される場合には、この濾過器のバイパス運転のあいだの水頭損失はほとんど、あるいは、全くなくなる。
この特質は、その他の濾過装置とは全くの対照をなしており、たとえば、堰が遮られるようになったときには、流入する水が、溢れ条件の間に最大水頭損失を招く遮断堰をあふれだすことが必要であり、総汚染物質が供給配管系統に逆流するのを促進することも必要となる。この状況は、堰から総汚染物質が取り除かれるまで変わらない。
明らかに、本発明の濾過器装置はこれを避け、バイパス状態の間、配管系統の流れの性質がいかなる実質的な方法においても劣化しないということを実証している。
この明細書中に開示する本発明にかかる濾過装置の実施形態は、滞水領域を最小化するように構成しているが、実施形態のその他の変形例は、滞水領域を最小化することができる一方で、本発明の目的を達成する目的でも存在する。
濾過装置の本実施形態においては、水遮壁を作るための濾過水の量と位置を最大化するために配置される濾過手段出口が１つのみある。しかしながら、本発明の目的を達成しながらも、１つ以上の濾過手段出口および１つ以上の水遮壁を備えることができるその他の可能な配置方法もある。
本発明の濾過装置の実施形態を作るために用いられる物質は、主にコンクリートおよび有孔ステンレス鋼板である。しかし、化学工場におけるような別種の施用にはプラスチックやアルミニウムの、あるいは特定の化学品を使用するための特別な性質を有するような軽量材の使用が必要である。
有孔ステンレス鋼板は、これらが適当な大きさに容易に切断することができ、また、容易に交換することができるので、好適な濾過部材の素材である。さらに、多種サイズだけでなく多種の孔径サイズを有する、多種の標準的な有孔ステンレス孔板は、容易に入手可能である。これによって、孔径のサイズを汚染物質の最小サイズにするようなことは、各シートに設けられたすべての孔の容量が予想流量を収容するのに十分であることを確保する一方で、濾過される汚染物質の最小サイズの設計の問題を、孔のサイズの選択として取り扱うことができる。
管１２から濾過装置の間は、濾過装置の入口１４および出口５２において、平滑推移（smooth transition）することが好ましい。同様に、濾過手段の出口５０から濾過装置の入口および出口の間の経路へは、はっきりした推移（clean transition）であることが好ましい。
また、濾過装置の上面全体には取外しのできるカバーがかぶせられていることが好ましい。これは、安全およびクリーニングとメンテナンスのときの接近を可能にするものである。
溢れ条件は、自己洗浄し現存する配管と同等である流路を供給し、それによって、総汚染物質が濾過装置の入口および出口のいずれにも堆積がないこと、および、現存する水配管系統にかかる水圧流の特質のメンテナンスを確保することができるということが認められる。
当該技術分野において通常の技量を有するものであれば、本発明は記載した特定の方法に用いることに限定されるものではなく、また、ここに述べた好適な実施形態の性質に限定されるものでないということが理解されるであろう。また、本発明の本質から離れることなく多様な変形をすることができるということも理解され、したがって、本発明はその範囲内でこのようなすべての変形例を含んでいるものと理解されるべきものである。
【図１】
0003935216.tif 000002
【図２】
0003935216.tif 000003
【図３】
0003935216.tif 000004
【図４】
0003935216.tif 000005